(57)【特許請求の範囲】
【請求項１】
複数の表示装置を配列して形成された配列型表示装置であって、
前記複数の表示装置は、それぞれ、画像を表示可能な表示部の外周側に画像を表示しない非表示部を有し、
前記複数の表示装置は、それぞれ、前記表示部より観察者側に、前記表示部及び前記非表示部を被覆する透明板を備え、
前記表示装置及び前記透明板は、前記表示部の表示面の法線方向から見て多角形形状であり、
前記各透明板は、
隣り合う透明板と接して配置され、
観察者側の面の外周部であって、前記表示部の表示面の法線方向から見て少なくとも前記非表示部に相当する位置に設けられ、前記表示部から出射し、前記透明板を透過してきた光の少なくとも一部を、前記表示装置の正面方向へ偏向させて出射する第１偏向部と、
観察者側の面の角部に設けられ、前記第１偏向部の前記表示部から出射し、前記透明板を透過してきた光の少なくとも一部を、前記表示装置の正面方向へ偏向させて出射する第２偏向部と、
を備え、
前記第１偏向部は、
その幅が、前記非表示部の幅よりも大きく、かつ、
観察者側に凸となる曲面、又は、内周側が外周側へ配列される複数の斜面を備え、
前記曲面の接平面が前記表示部の表示面となす角度、又は、前記斜面が前記表示部の表示面となす角度が、外周側に向かうにつれて大きくなっており、
前記第２偏向部は、
観察者側に凸となる曲面、又は、内周側が外周側へ配列される複数の斜面を備え、
前記曲面の接平面が前記表示部の表示面となす角度、又は、前記斜面が前記表示部の表示面となす角度が外周側に向かうにつれて大きくなっており、
前記表示装置の正面方向から見て、前記第２偏向部の最も内周側の点は、前記第１偏向部の最も内周側となる点よりも、外周側に位置すること、
を特徴とする配列型表示装置。
【請求項２】
請求項１に記載の配列型表示装置において、
前記第２偏向部は、前記非表示部の角部となる領域に対応する領域に形成されていること、
を特徴とする配列型表示装置。
【請求項３】
請求項１又は請求項２に記載の配列型表示装置において、
前記表示装置の正面方向から見た第１偏向部の幅をＷ１、前記非表示部の幅をＷ２とするとき、
２×Ｗ２≦Ｗ１≦４×Ｗ２
という関係を満たすこと、
を特徴とする配列型表示装置。
【発明の詳細な説明】
【技術分野】
【０００１】
本発明は、複数の表示装置を配列して表示画面を形成する配列型表示装置に関するものである。
【背景技術】
【０００２】
背面投射型表示装置、プラズマ表示装置、液晶表示装置、有機ＥＬ（Ｅｌｅｃｔｒｏ−Ｌｕｍｉｎｅｓｃｅｎｃｅ）（有機ＬＥＤ（ｌｉｇｈｔ−ｅｍｉｔｔｉｎｇ  ｄｉｏｄｅ））表示装置等を配列して、画面サイズを拡大した配列型表示装置は、数十インチ以上の大型の表示画面が必要なデジタルサイネイジや制御監視等に広く用いられている。
このような配列型表示装置に関しては、より良好な画像を表示するために、その画面の耐候性や画面の平面性、視認性の向上等が図られている（例えば、特許文献１，２参照）。
【先行技術文献】
【特許文献】
【０００３】
【特許文献１】特開２００７−１９２９７７号公報
【特許文献２】特開２０００−１２２５７１号公報
【発明の概要】
【発明が解決しようとする課題】
【０００４】
しかし、例えば、背面投射型表示装置では、背面投射型スクリーンを保持するための枠構造が必要であり、プラズマ表示装置、液晶表示装置、有機ＥＬ表示装置では、表示装置の表示部がガラス製のパネルであるので、パネルを保持するための枠構造が必要である。
そのため、これらの枠構造等によって、いずれの表示装置においても表示装置の周辺部に画像の表示できない非表示領域が生じる。そして、これらを平面上に配列して配列型表示装置を構成すると、表示装置間に、画像の表示できない非表示領域によって枠状の継目部分（目地部分）ができてしまう。この表示装置間の継目部分は、映像が表示されないため、画像の連続性が低下してその画質が低下する等の問題がある。
プラズマ表示装置、液晶表示装置、有機ＬＥＤ表示装置等では、表示部のパネルの端面に保持部材を接着して保持部材の幅をできるだけ狭くして、非表示領域を小さくすることも考えられている。しかし、これらの表示装置では周辺部に電極を配置しなければならないので、そのような構成としても非表示領域が数ミリ程度生じてしまい、画像の連続性は改善されない。
【０００５】
特許文献１では、継目部分の上に、有機ＬＥＤを配置するという手法が開示されている。しかし、有機ＬＥＤの周辺部には電極が必要なので、実際には、その電極部分が非表示領域となってしまう。また、特許文献１に開示される構成は、構造が複雑であり、生産コストの増加を招く。
また、特許文献２では、ＦＥＤ（Ｆｉｅｌｄ  Ｅｍｉｓｓｉｏｎ  Ｄｉｓｐｌａｙ）等の電極及び配線を工夫し、非表示領域となる継目部分の幅を小さくする手法が開示されている。しかし、封着剤や側面接続配線等によって生じる非表示領域が存在するため、画面の連続性の改善は不十分である。
【０００６】
本発明の課題は、表示装置間の非表示領域の視認が大幅に低減され、画像の連続性が高く、良好な画像を表示可能な配列型表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、複数の表示装置（１０Ａ〜１０Ｄ）を配列して形成された配列型表示装置であって、前記複数の表示装置は、それぞれ、画像を表示可能な表示部（１１Ａ）の外周側に画像を表示しない非表示部（１２Ａ）を有し、前記複数の表示装置は、それぞれ、前記表示部より観察者側に、前記表示部及び前記非表示部を被覆する透明板（２０Ａ〜２０Ｄ）を備え、前記表示装置及び前記透明板は、前記表示部の表示面の法線方向から見て多角形形状であり、前記各透明板は、隣り合う透明板と接して配置され、観察者側の面の外周部であって、前記表示装置の正面方向から見て少なくとも前記非表示部に相当する位置に設けられ、前記表示部から出射し、前記透明板を透過してきた光の少なくとも一部を、前記表示装置の正面方向へ偏向させて出射する第１偏向部（２２Ａ）と、観察者側の面の角部に設けられ、前記表示部から出射し、前記透明板を透過してきた光の少なくとも一部を、前記表示装置の正面方向へ偏向させて出射する第２偏向部（２３Ａ）と、を備え、前記第１偏向部は、その幅（Ｗ１）が、前記非表示部（Ｗ２）の幅よりも大きく、かつ、観察者側に凸となる曲面、又は、内周側が外周側へ配列される複数の斜面を有し、前記曲面の接平面が前記表示部の表示面となす角度（γ１）、又は、前記斜面が前記表示部の表示面となす角度（γ３）が、外周側に向かうにつれて大きくなっており、前記第２偏向部は、観察者側に凸となる曲面、又は、内周側が外周側へ配列される複数の斜面を備え、前記曲面の接平面が前記表示部の表示面となす角度（γ２）、又は、前記斜面が前記表示部の表示面となす角度が外周側に向かうにつれて大きくなっており、前記表示装置の正面方向から見て、前記第２偏向部の最も内周側の点（Ｔ５）は、前記第１偏向部の最も内周側となる点（Ｔ４）よりも、外周側に位置すること、を特徴とする配列型表示装置（１００）である。
請求項２の発明は、請求項１に記載の配列型表示装置において、前記表示装置（１０Ａ）の正面方向から見て、前記第２偏向部（２３Ａ）は、前記非表示部（１２Ａ）の角部となる領域（１２Ａ−Ｃ）に対応する領域に形成されていること、を特徴とする配列型表示装置（１００）である。
請求項３の発明は、請求項１又は請求項２に記載の配列型表示装置において、前記表示装置（１０Ａ）の正面方向から見た第１偏向部の幅をＷ１、前記非表示部の幅をＷ２とするとき、２×Ｗ２≦Ｗ１≦４×Ｗ２という関係を満たすこと、を特徴とする配列型表示装置（１００）である。
【発明の効果】
【０００８】
本発明によれば、表示装置間の非表示領域の視認が大幅に低減され、画像の連続性が高く、良好な画像を表示可能な配列型表示装置とすることができる。
【図面の簡単な説明】
【０００９】
【図１】実施形態の配列型表示装置１００を説明する図である。
【図２】実施形態の配列型表示装置１００を説明する図である。
【図３】実施形態の第１偏向部２２Ａを説明する図である。
【図４】実施形態の第１偏向部２２Ａの作用について説明する図である。
【図５】実施形態の第２偏向部２３Ａを説明する図である。
【図６】実施形態の第２偏向部２３Ａを説明する図である。
【図７】第２偏向部を設けない透明板２２０Ａの角部を説明する図である。
【図８】第２偏向部３２３Ａを有するが、その内周側の点Ｔ５が、第１偏向部２２Ａの内周側の点Ｔ４と同じ位置に位置する透明板３２０Ａの角部を説明する図である。
【図９】別の実施形態の配列型表示装置４００を説明する図である。
【図１０】透明板２０Ａ〜２０Ｄの変形形態を示す図である。
【図１１】配列型表示装置１００の変形形態を説明する図である。
【図１２】従来の配列型表示装置９０を示す斜視図である。
【図１３】従来の配列型表示装置９０に用いられる表示装置９０Ａ（９０Ａ１〜９０Ａ３）の構成を示す図である。
【発明を実施するための形態】
【００１０】
以下、図面等を参照して、本発明の実施形態について説明する。なお、図１を含め、以下に示す各図は、模式的に示した図であり、各部の大きさ、形状は、理解を容易にするために、適宜誇張している。
また、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、シート、板、フィルムの文言は、適宜置き換えることができるものとする。
さらに、本明細書中に記載する各部材の寸法等の数値及び材料名等は、実施形態としての一例であり、これに限定されるものではなく、適宜選択して使用してよい。
【００１１】
（従来の配列型表示装置について）
まず、従来の配列型表示装置について説明する。
図１２は、従来の配列型表示装置９０を示す斜視図である。図１２に示す従来の配列型表示装置９０は、表示画面が矩形状であり、同サイズである４つの表示装置９０Ａ，９０Ｂ，９０Ｃ，９０Ｄを備えており、それらの画像を表示可能な表示部９１Ａ，９１Ｂ，９１Ｃ，９１Ｄが１つの平面上に位置するように、縦横に２個ずつ配列されている。
なお、表示装置９０Ａ〜９０Ｄは、背面投射型表示装置や、プラズマ表示装置、液晶表示装置、有機ＥＬ表示装置（有機ＬＥＤ表示装置）や、その他の表示装置等が使用されている。また、配列型表示装置９０を形成する表示装置の数は、図１２に示すような４つに限らず、２つや、６つや８つ等としているものもある。
【００１２】
図１３は、従来の配列型表示装置９０に用いられる表示装置９０Ａ（９０Ａ１〜９０Ａ３）の構成を示す図である。図１３では、代表として、表示装置９０Ａ（９０Ａ１〜９０Ａ３）のみを示し、かつ、表示装置９０Ａ（９０Ａ１〜９０Ａ３）の表示画面（表示部９１Ａ）に法線方向（表示装置９０Ａの正面方向）に平行な断面の一部を示している。
図１３（ａ）は、表示装置として背面投射型表示装置が用いられる例を示し、図１３（ｂ）は、表示装置としてプラズマ表示装置、液晶表示装置、有機ＥＬ表示装置（有機ＬＥＤ表示装置）等が用いられる例を示し、図１３（ｃ）は、表示装置として用いられるプラズマ表示装置、液晶表示装置、有機ＥＬ表示装置（有機ＬＥＤ表示装置）等の図１２（ｂ）とは異なる形状の例を示している。
背面投射型表示装置である表示装置９０Ａ１は、図１３（ａ）に示すように、背面投射型スクリーン９１を保持するための枠構造９２を備えている。背面投射型スクリーン９１の観察者側表面の周縁部は、この枠構造９２の観察者側の枠部材９２ａに被覆される。従って、その被覆された周縁部は、画像が表示できない非表示部（継目部分）になる。
【００１３】
また、図１３（ｂ）に示すように、プラズマ表示装置、液晶表示装置、有機ＥＬ表示装置等である表示装置９０Ａ２は、表示パネル９３を保持するための枠構造９４を備えている。表示パネル９３の観察者側表面は、枠構造９４の観察者側の枠部材９４ａによりその周縁部が被覆され、その被覆された領域が非表示部（継目部分）となる。
さらに、図１３（ｃ）に示すように、プラズマ表示装置、液晶表示装置、有機ＥＬ表示装置等である表示装置９０Ａ３は、表示パネル９５の端面に保持部材９６を接着し、保持部材９６の幅を狭くする構成としている。しかし、表示パネル９５では、その周縁部分に電極部や配線部等を設ける領域９７を設ける必要がある。従って、その領域９７となる部分が、非表示部となる。
【００１４】
そのため、図１２に示すように、表示装置９０Ａ〜９０Ｄのそれぞれの表示部９１Ａ〜９１Ｄの外周側には、画像を表示できない非表示部９２Ａ〜９２Ｄが存在する。
このような従来の配列型表示装置９０に画像を表示すると、各表示装置９０Ａ〜９０Ｄの間の非表示部９２Ａ〜９２Ｄが継目のように暗線として認識され、画像の連続性、視認性を著しく損ない、画質の低下が生じるという問題があった。
本発明は、これを改善し、画像の連続性があり、良好な視認性を有する配列型表示装置とするものである。
【００１５】
（実施形態）
図１及び図２は、本実施形態の配列型表示装置１００を説明する図である。
図１は、本実施形態の配列型表示装置１００の斜視図である。図２（ａ）は、図１に示す矢印Ａ１−Ａ２に沿って配列型表示装置１００の厚み方向に平行に切断した断面を示した図である。図２（ｂ）は、表示装置１０Ａを観察者側正面方向から見た平面図である。図２（ｃ）は、透明板２０Ａを観察者側正面方向から見た平面図であり、図２（ｄ）は、透明板２０Ａを表示装置１０Ａ側からから見た平面図である。なお、理解を容易にするために、図２（ｃ）〜（ｄ）では、代表として表示装置１０Ａ，透明板２０Ａのみを示している。
本実施形態の配列型表示装置１００は、表示装置部１０と、透明板部２０とを備えている。透明板部２０は、表示装置部１０の観察者側に設けられており、本実施形態では、透明板部２０と表示装置部１０との間に設けられた接合層３０（図２（ａ）及び後述の図３参照）を介して表示装置部１０に一体に接合されている。透明板部２０と表示装置部１０とを接合する接合層３０は、光透過性が高く、透明板部２０と屈折率が等しく（もしくは屈折率差が略無いに等しく）、光学的に等価であるものを用いることが好ましい。
【００１６】
表示装置部１０は、映像を表示する表示装置が複数配列されて形成されている。
本実施形態の表示装置部１０は、図１に示すように、表示装置１０Ａ〜１０Ｄが、その映像を表示可能な表示部１１Ａ〜１１Ｄの観察側表面（表示面）が１つの平面上に位置するように互いに隣接して配列されている。
この表示装置１０Ａ〜１０Ｄは、縦横（使用状態における配列型表示装置の画面上下方向及び画面左右方向）に２つずつ配列されている。なお、配列型表示装置１００を形成する表示装置の数は、所望される画面サイズの大きさ等に伴い変更可能であり、４つに限らず、２つとしてもよいし、６つや８つ等としてもよい。また、配列方向についても、適宜設定してよい。
【００１７】
図２（ｂ）に示すように、表示装置１０Ａは、その表示部１１Ａの表示面の法線方向（表示装置１０Ａの正面方向観察者側）から見て、映像を表示可能な表示画面となる表示部１１Ａと、表示部１１Ａの周囲に位置し、枠部材や電極部等によって映像を表示できない非表示部１２Ａとを有する。
本実施形態の表示部１１Ａは、表示部１１Ａの表示面の法線方向（表示装置１０Ａの正面方向観察者側）から見て、略矩形状であり、その外周側に表示部１１Ａに隣接して非表示部１２Ａが位置している。なお、他の表示装置１０Ｂ〜１０Ｄも同様の形状である。
この表示装置１０Ａ〜１０Ｄは、プラズマ表示装置、液晶表示装置、有機ＥＬ表示装置（有機ＬＥＤ表示装置）等としてもよいし、背面投射型表示装置としてもよい。
【００１８】
透明板部２０は、表示装置部１０の表示画面の観察者側に配置された透明な略平板状の部材である。本実施形態の透明板部２０は、図１に示すように、透明板２０Ａ〜２０Ｄが、縦横（使用状態における配列型表示装置の画面上下方向及び画面左右方向）に２つずつ隣接して配列され、略平板状となっている。
透明板２０Ａ，２０Ｂ，２０Ｃ，２０Ｄは、それぞれ、表示装置１０Ａ，１０Ｂ，１０Ｃ，１０Ｄに対応する位置に配置されている。配列型表示装置１００の画面の正面方向から見たとき、透明板２０Ａ〜２０Ｄの大きさ、外形は、それぞれ、対応する表示装置１０Ａ〜１０Ｄの大きさ、外形に一致している。また、図２（ｃ）に示すように、透明板２０Ａ〜２０Ｄは、いずれも、略平板状の部材であり、板面の法線方向（配列型表示装置１００の画面の正面方向）から見て略矩形状となっている。
ここで、透明板２０Ａ〜２０Ｄの板面とは、各透明板において、その透明板全体として見たときにおける、透明板の平面方向となる面を示すものである。この板面は、表示装置１０Ａ〜１０Ｄの表示面に平行な面であり、配列型表示装置１としての画面に平行な面であるとする。
【００１９】
透明板２０Ａ〜２０Ｄは、光透過性の高い部材を用いて形成されることが好ましく、透明な部材を用いることが好ましい。
透明板２０Ａ〜２０Ｄの材料としては、ポリカーボネート（ＰＣ）樹脂、アクリル系樹脂、スチレン樹脂、オレフィン系樹脂、ガラス、セラミック等を適宜選択して用いることができる。また、透明板２０Ａ〜２０Ｄは、前述の材料を用いて、射出成形法、キャスト成形法等により形成される。
【００２０】
図２（ｃ）に示すように、透明板２０Ａは、観察者側（出光側）の面に、平面部２１Ａと、平面部２１Ａよりも外周側に位置する第１偏向部２２Ａと、矩形状の角部分に設けられる第２偏向部２３Ａとを備えている。
また、透明板２０Ａは、図２（ｄ）に示すように、表示装置部１０側の面に、平面部２１Ａに平行な入光部２４Ａと、入光部２４Ａよりも外周側であって非表示部１２Ａに対応する領域に設けられた接合部２５Ａとを有している。
なお、他の透明板２０Ｂ〜２０Ｄも同様の形状を有している。
【００２１】
まず、第１偏向部２２Ａについて説明する。
図３は、本実施形態の第１偏向部２２Ａを説明する図である。この図３では、図１に示すＡ１−Ａ２ラインに沿って配列型表示装置１００の厚み方向に平行に切断した断面の一部を拡大し、理解を容易にするために、表示装置１０Ａ及び透明板２０Ａのみを示し、かつ、表示装置１０Ａの構成に関しては大幅に簡略化して示している。この図３に示す断面は、図中に示す第１偏向部２２Ａに隣接し、この第１偏向部２２Ａと長手方向が平行な側面２６Ａと、表示部１１Ａの表示面とに直交する断面である。この側面２６Ａは、透明板２０Ａ及び表示装置１０Ａの厚み方向に平行であり、平面部２１Ａ，入光部２４Ａに直交する面である。
なお、図３においては、厚み方向に平行であって表示装置１０Ａ及び透明板２０Ａの１つの辺（側面）に直交する断面のみを示しているが、その四辺において同様の形状である。また、以下の説明においては、理解を容易にするために、表示装置１０Ａ及び透明板２０Ａを挙げて説明するが、特に断りがある場合を除いて、他の表示装置１０Ｂ〜１０Ｄ及び透明板２０Ｂ〜２０Ｄにおいても同様の形状であるとする。
【００２２】
透明板２０Ａの出光側の平面部２１Ａは、表示部１１Ａの表示面に平行な面である。この平面部２１Ａを正面方向から見た形状は、表示部１１Ａの表示面の形状に相似であり、本実施形態では、前述の図２（ｃ）に示すように、矩形状となっている。
第１偏向部２２Ａは、平面部２１Ａよりも外周側に平面部２１Ａに隣接して設けられている（図１及び図２（ａ），（ｃ）参照）。
本実施形態の第１偏向部２２Ａは、図３に示すように、観察者側に凸となる曲面であり、最も平面部２１Ａ側となる点Ｔ４から透明板２０Ａの外周側に向かうにつれて、その点での透明板２０Ａの厚みが薄くなるように形成されている。従って、第１偏向部２２Ａにおいて、最も外周側となる点Ｔ１は、厚み方向において最も表示装置１０Ａ側に位置している。
また、第１偏向部２２Ａは、その表面上の任意の点における接平面が表示部１１Ａの表示面に平行な面（平面部２１Ａに平行な面）となす角度γ１は、透明板２０Ａの外周側に向かうにつれてしだいに大きくなっている。
【００２３】
透明板２０Ａの入光側の入光部２４Ａは、表示部１１Ａの観察者側の面に平行な面であり、正面方向から見た形状が矩形状であり、表示部１１Ａの表示面に対応する大きさ及び形状となっている。
接合部２５Ａは、入光部２４Ａの外周側に隣接する領域であって配列型表示装置１００の正面方向から見て非表示部１２Ａに対応する領域に、設けられている。この接合部２５Ａの表示装置部１０側の面は、非表示部１２Ａの観察者側表面に平行となっている。
この接合部２５Ａと非表示部１２Ａとが接合層３０を介して接合されることにより、透明板２０Ａと表示装置１０Ａとが接合される。このとき、図３に示すように、入光部２４Ａと表示部１１Ａとの間には、所定の厚さで空気層２７が形成される。
【００２４】
図３に示す断面において、第１偏向部２２Ａの幅は、Ｗ１であり、非表示部１２Ａの幅は、Ｗ２（ただし、Ｗ１＞Ｗ２）である。
また、図３に示す断面において、入光部２４Ａの最も外周側となる点をＴ２とし、点Ｔ２を通り表示部１１Ａの表示面に平行な平面と、点Ｔ１を通り表示部１１Ａの表示面に垂直な直線との交点を点Ｔ３とする。この点Ｔ３は、本実施形態では、点Ｔ１を通り、透明板２０Ａの厚み方向に平行な直線と、接合部２５Ａの表面との交点である。
透明板２０Ａの厚み方向における点Ｔ１から点Ｔ３までの寸法をＨとし、透明板２０Ａの厚み（厚み方向における平面部２１Ａと入光部２４Ａとの間の寸法）をＤとする。
【００２５】
図３に示すように表示部１１Ａの中央等から正面方向（表示面の法線方向）に出射する光Ｌ１は、入光部２４Ａに入射して透明板２０Ａを透過し、平面部２１Ａから正面方向へ出射する。
一方、表示部１１Ａの外周側（非表示部１２Ａ側）端部から出射した光のうち、正面方向に対して外周側に角度をなす方向に出射する光Ｌ２１〜Ｌ２３は、入光部２４Ａに入射して透明板２０Ａを透過し、第１偏向部２２Ａに入射する。そして、光Ｌ２１〜Ｌ２３は、第１偏向部２２Ａと空気との界面で屈折して、表示装置１０Ａの中心側（表示部１１Ａ側）に曲げられて、表示部１１Ａの表面に対して垂直な方向（正面方向）に出射する。このとき、第１偏向部２２Ａは、上述のように、外周側に向かうほど角度γ１（図３参照）が大きくなっているので、第１偏向部２２Ａの外周側（点Ｔ１側）に入射する光ほど、より内周側（表示部１１Ａ側）へ偏向され、表示面の法線方向（正面方向）へ出射する。
【００２６】
従って、この表示装置１０Ａを観察側の正面方向（表示面に対する法線方向）から観察すると、透明板２０Ａ全体に画像が表示されているように観察され、非表示部１２Ａが視認されない。また、第１偏向部２２Ａの特に外周側の領域に表示される画像は、非表示部１２Ａ近傍の表示部１１Ａから出射した光が、拡大されて表示されている。従って、画像の連続性を損なうことなく、非表示領域の視認を大幅に低減できる。
以上のことから、透明板２０Ａを通して観察される映像は、その観察者側の面の全領域にわたって連続した画像であり、非表示部１２Ａによる継目部分のない良好な画像として認識される。
【００２７】
ここで、本実施形態の第１偏向部２２Ａの形状について、さらに詳しく説明する。
図４は、本実施形態の第１偏向部２２Ａの作用を説明する図である。図４（ａ）は、本実施形態の第１偏向部２２Ａを示し、図４（ｂ）は、第１偏向部２２Ａの幅Ｗ１と非表示部の幅Ｗ２とが等しい場合の第１偏向部１２２Ａを示している。図４は、前述の図３に示す断面と同様の断面を示している。
図４（ｂ）に示すように、第１偏向部１２２Ａの幅Ｗ１が、非表示部の幅Ｗ２と等しい形状とした場合、正面方向から見て、第１偏向部１２２Ａと平面部２１Ａとの境界部分に相当する領域にある表示部１１Ａの点Ｅ３から出射した光のうち、正面方向へ出射する光Ｌ３３は、そのまま正面方向へ進んで入光部２４Ａに入射して透明板２０Ａを透過し、平面部２１Ａから正面方向へ出射する。また、点Ｅ３から正面方向に対して外周側へ角度をなす方向に出射する光Ｌ３４も、第１偏向部１２２Ａに入射して屈折し、正面方向へ出射する。
この光Ｌ３３及び光Ｌ３４は、同じ点Ｅ３から出射している同じ画像を表示する光であるため、第１偏向部２２Ａと平面部２１Ａとの境界近傍に同じ映像が表示されることとなり、二重像となって観察される。
【００２８】
しかし、本実施形態のように、第１偏向部２２Ａの幅Ｗ１が、非表示部１２Ａの幅Ｗ２よりも大きく設けられる場合には、第１偏向部２２Ａと平面部２１Ａとの境界となる点Ｔ４近傍において、第１偏向部２２Ａの接平面が平面部２１Ａとなす角度（角度γ１に相当）を非常に小さくすることができ、かつ、外周側に向かうにつれて次第に角度γ１を連続的に大きくすることができる。これにより、本実施形態では、第１偏向部２２Ａと平面部２１Ａとが滑らかに繋げられており、その変曲点が存在しない形態となっている。
このような形態とすることにより、図４（ａ）に示すように、点Ｔ４の近傍の第１偏向部２２Ａ側、点Ｔ４の平面部２１Ａ側において、正面方向に出射する光は、異なる点Ｅ１，点Ｅ２から出射する光Ｌ３１，Ｌ３２となり、表示する画像が異なる。また、点Ｅ１から外周側に出射する光Ｌ３５は、第１偏向部２２Ａによって、正面方向に対してやや外周側に向かって出射するため、正面方向にいる観察者には視認されない。
従って、上述の図４（ｂ）に示すような、第１偏向部１２２Ａと平面部２１Ａとの境界部に生じる二重像を大幅に抑制することができる。
【００２９】
なお、上述のような二重像低減の効果を奏するためには、幅Ｗ１，幅Ｗ２が、Ｗ１＞Ｗ２であって、かつ、２×Ｗ２≦Ｗ１を満たすことが好ましい。幅Ｗ２と幅Ｗ１の差が少ないと、幅Ｗ１と幅Ｗ２との重複しない領域の幅Ｗ３（図３参照。この幅Ｗ３は、Ｗ３＝Ｗ１−Ｗ２を満たす）が狭くなる。この幅Ｗ３の領域の画像は、拡大されて第１偏向部２２Ａに表示される。このとき、この幅Ｗ３が小さいと、第１偏向部２２Ａに拡大倍率の大きい画像が表示され、隣接した画像との連続性が損なわれる。従って、２×Ｗ２≦Ｗ１を満たすことが好ましい。
【００３０】
また、幅Ｗ１，幅Ｗ２は、Ｗ１≦４×Ｗ２を満たすことが好ましい。
理由の１つには、幅Ｗ１を大きくし、第１偏向部２２Ａの図３に示す断面形状を作製容易な円状とすると、透明板２０Ａの厚みＤが厚くなり、透明板２０Ａ重量も増加し、透明板部２０の保持等の負荷が増すというデメリットが生ずるからである。
また、理由の１つには、幅Ｗ１を大きくし、かつ、上記のような透明板２０Ａの厚みＤが大きくならないように設計すると、第１偏向部２２Ａと平面部２１Ａとの境界となる点Ｔ４の近傍において、その接平面と表示部１１Ａの表示面に平行な面とのなす角度γ１が略０となるような小さな角度となる。そのため、点Ｔ４近傍の第１偏向部２２Ａ側の領域は、実質的に平面部２１Ａと平行となり、幅Ｗ１を大きくすることによる上述のような光学的な効果が損なわれ、かつ、そのような第１偏向部２２Ａを作製するための金型等の製作時の切削作業量等が増え、生産コストがかさむというデメリットが生ずるからである。
【００３１】
次に、非表示部１２Ａによる継目部分の視認を低減して画像の連続性を向上させる観点から、非表示部１２Ａと第１偏向部２２Ａとは、厚み方向（表示部１１Ａの表示面の法線方向）において適切な距離を有していることが好ましい。
図３に示すように、透明板２０Ａの厚み方向における点Ｔ１と点Ｔ３との間の寸法（本実施形態では、点Ｔ１から、接合部２５Ａの接合面までの厚み方向における寸法）をＨとし、点Ｔ２と点Ｔ３との間の寸法（本実施形態では、非表示部１２Ａの幅）をＷ２とする。また、点Ｔ２から入射し、点Ｔ１を通り表示部１１Ａの表示画面に直交する方向へ出射する光Ｌ２１が、透明板２０Ａ内において表示部１１Ａの表示面に直交する方向となす角度をβとする。
このとき、ｔａｎβ＝Ｗ２／Ｈという関係を満たす。従って、透明板２０Ａの第１偏向部２２Ａから表示装置１０Ａの表示画面の垂直方向（表示装置１０Ａの正面方向）に光を出射させるために、以下の（式１）を満たすことが好ましい。
Ｈ≧Ｗ２／ｔａｎβ  ・・・（式１）
【００３２】
ここで、角度βを一定とし、寸法Ｈが上記の（式１）を満たさず、Ｈ＜Ｗ２／ｔａｎβとなる場合には、点Ｔ２で透明板２０Ａに入射し、透明板２０Ａ内において、表示部１１Ａの表示画面に直交する方向に対して非表示部１２Ａ側へ斜めに角度βで進む光が、第１偏向部２２Ａにおいて点Ｔ１よりも内周側の点から出射する。
そのため、最外周に位置する点Ｔ１から正面方向へ表示光が出射せず、非表示部１２Ａが観察者に映像が表示されない継目（目地）として認識され、配列型表示装置における画像の連続性及び視認性が低下し、画質が低下するため好ましくない。従って、寸法Ｈは、Ｈ≧Ｗ２／ｔａｎβを満たすことが好ましい。
【００３３】
また、図３に示す断面において、角度βを一定とした場合、寸法Ｈが、Ｗ２／ｔａｎβよりも大きくなるにつれて、透明板２０Ａの第１偏向部２２Ａに入射して表示画面の正面方向（表示部１１Ａに直交する方向）に出射する光の表示部１１Ａからの出射点が、表示部１１Ａの外周側（非表示部１２Ａ側）から、より内側（表示画面中央側）となる。そのため、Ｈの値がＷ２／ｔａｎβよりも余りに大きな値となった場合には、第１偏向部２２Ａから表示面に直交する方向に出射する光の表示する画像と、第１偏向部２２Ａに隣接する平面部２１Ａから正面方向へ出射する光が表示する画像とのずれが大きくなり、配列型表示装置１００の画面としての画像の連続性が損なわれるので好ましくない。
【００３４】
従って、良好な画像を表示するという観点から、寸法Ｈは、（式１）を満たしつつも、あまり大きくしすぎないことが好ましい。具体的には、以下の（式２）を満たすことが好ましい。
Ｈ≦１．１×Ｗ２／ｔａｎβ  ・・・（式２）
寸法Ｈが、Ｈ＞１．１×Ｗ２／ｔａｎβとなる場合には、上述のように、第１偏向部２２Ａから表示画面に直交する方向に出射した光の表示する画像と、表示部１１Ａの非表示部１２Ａに隣接する領域が表示する画像とが異なり、画像の連続性が損なわれる。
【００３５】
以上のことから、表示装置１０Ａ〜１０Ｄ間の非表示部１２Ａ〜１２Ｄの視認を大幅に低減し、画像の連続性が高く、良好な画像を表示可能な配列型表示装置１を提供するという観点から、寸法Ｈは、以下の２式を満たすことが好ましい。
Ｈ≧Ｗ２／ｔａｎβ  ・・・（式１）
Ｈ≦１．１×Ｗ２／ｔａｎβ  ・・・（式２）
上述のような条件を満たすので、本実施形態の配列型表示装置１００は、個々の透明板２０Ａ〜２０Ｄの観察側の面の全面にわたって連続した画像が表示され、個々の表示装置１０Ａ〜１０Ｄ間の非表示部１２Ａ〜１２Ｄによる継目部分が視認されない。
【００３６】
次に、第２偏向部２３Ａについて説明する。
図５及び図６は、本実施形態の第２偏向部２３Ａを説明する図である。
図５（ａ）は、第２偏向部２３Ａの斜視図であり、図５（ｂ）は、透明板２０Ａの角部を正面方向から見た図である。図６（ａ）は、第２偏向部２３Ａを、図５（ｂ）に示すＢ１−Ｂ２の２点鎖線に平行であって透明板２０Ａの厚み方向に平行な断面での断面図であり、図６（ｂ）は、透明板２０Ａの角部を正面方向から見た図である。
前述の図１及び図２に示すように、透明板２０Ａの出光側の面の角部には、第２偏向部２３Ａが設けられている。
第２偏向部２３Ａは、第１偏向部２２Ａと同様に、観察者側に凸となる曲面であり、図６に示すように、第２偏向部２３Ａ上の点において、その接線と表示部１１Ａの表示面とがなす角度γ２は、点Ｔ６側に向かうにつれて次第に大きくなっている。
【００３７】
図５及び図６に示すように、第２偏向部２３Ａの最も内周側となる点Ｔ５は、第１偏向部２２Ａの最も内周側の点Ｔ４よりも外周側であって、厚み方向において表示装置１０Ａ側に位置している。また、第２偏向部２３Ａの最も外周側となる点Ｔ６は、第１偏向部２２Ａの最も外周側となる点Ｔ１よりも、表示装置１０Ａ側に位置している。
第２偏向部２３Ａは、図５（ｂ）に示すように、正面方向から見て、非表示部１２Ａの角部となる領域１２Ａ−Ｃに対応する領域に形成されている。
第２偏向部２３Ａと第１偏向部２２Ａとの境界部分は滑らかに繋げられている。また、この第２偏向部２３Ａの点Ｔ６における角度γ２は、第１偏向部の点Ｔ１におけるγ１よりも大きな角度となっている。
【００３８】
このような形状の第２偏向部２３Ａを形成することにより、表示部１１Ａの角部近傍から出射した光Ｌ４１，４２が、入光部２４Ａから入射して透明板２０Ａ内を透過し、第２偏向部２３Ａに入射して屈折し、正面方向へ出射する。従って、第２偏向部２３Ａを設けることにより、透明板２０Ａの角部での画像の連続性を向上させことができ、かつ、角部に生じやすい点状の目地部分や二重像等を改善することができる。
【００３９】
図７は、第２偏向部を設けない透明板２２０Ａの角部を説明する図であり、図８は、第２偏向部３２３Ａを有するが、その内周側の点Ｔ５が、第１偏向部２２Ａの内周側の点Ｔ４と同じ位置に位置する透明板３２０Ａの角部を説明する図である。
図７（ａ），図８（ａ）は、各透明板２２０Ａ，３２０Ａの角部の斜視図であり、図７（ｂ），図８（ｂ）は、各透明板２２０Ａ，３２０Ａの角部を正面方向から見た様子を示す図である。
図７に示すように、第２偏向部２３Ａを設けなかった場合、図７（ｂ）に示すように、表示部１１Ａの角部となる領域Ｆ２１から出射する光は、透明板２２０Ａに入射して図中に示す矢印方向へ進み、領域Ｆ２２から第１偏向部２２Ａによって偏向されて正面方向へ出射する。しかしながら、領域Ｆ２１から領域１２Ａ−Ｃに相当する領域向かって出射する光（図７（ｂ）中において破線で示す矢印）は、第１偏向部２２Ａによって正面方向に偏向されない。従って、図７（ｂ）に斜線で示す非表示部１２Ａの角部となる領域１２Ａ−Ｃに相当する透明板２２０Ａの出光側の領域からは、正面方向へは光がほとんど出射しない。そのため、正面方向から見た場合には、角部となる領域１２Ａ−Ｃに相当する領域は暗部（点状の目地部分）として観察され、映像の連続性が低下する。
【００４０】
また、図８に示すように、第２偏向部３２３Ａの最も内周側となる点Ｔ５が、第１偏向部２２Ａの最も内周側となる点Ｔ４と一致する形状とした場合、表示部１１Ａの角部近傍となる領域Ｆ３１から出射した光が第２偏向部３２３Ａ上の非表示部１２Ａの角部となる領域１２Ａ−Ｃに相当する領域（領域Ｆ３２）から正面方向へ出射し、角部の暗部は解消される。しかし、表示部１１Ａの角部となる領域Ｆ３１に隣接する領域Ｆ４１やＦ５１から出射する光は、一部が、図８（ｂ）に示すように、第１偏向部２２Ａ上の領域Ｆ４２，Ｆ５２から正面方向へ出射し、一部が、第２偏向部３２３Ａ上であって領域Ｆ３２に近接する領域Ｆ４３，Ｆ５３から正面方向へ出射する。
そのため、領域Ｆ４２，Ｆ５２と領域Ｆ４３，Ｆ５３とから正面方向へ出射する光の表示する映像が同じものとなり、領域Ｆ４２とＦ４３，領域Ｆ５２とＦ５３に二重に像が表示されることになる。
【００４１】
一方、本実施形態では、図６（ｂ）に示すように、表示部１１Ａの角部となる領域Ｆ１１から出射する光は、一部が非表示部１２Ａの角部１２Ａ−Ｃに相当する領域に形成される第２偏向部２３Ａ（領域Ｆ１２）から正面方向へ出射するので、角部に生じる暗部を大幅に改善することができる。
このとき、領域Ｆ１１から出射する光の一部が、第１偏向部２２Ａ上の領域Ｆ１３から正面方向へ出射する。しかし、領域Ｆ１２及びＦ１３は、前述の領域Ｆ４２，Ｆ４３，Ｆ５２，Ｆ５３の領域よりも小さく、かつ、角部に密集して位置しているので、二重像として観察されにくい。
従って、本実施形態の第２偏向部２３Ａを備えることにより、透明板の角部まで全域に渡って映像を表示して画像の連続性を高めることができ、かつ、二重像の視認を大幅に低減できる。
【００４２】
以上のことから、本実施形態の配列型表示装置１００は、第１偏向部及び第２偏向部を備える透明板２０Ａ〜２０Ｄからなる透明板部２０を供えているので、継目部分の視認が大幅に低減され、連続性の高い画像を表示でき、単独の表示装置に表示される画像となんら遜色のない良好な画像を表示できる。
【００４３】
（実施例）
上述の本実施形態の配列型表示装置１００の実施例を作成し、その表示される画像の連続性等に関して調べた。
表示装置１０Ａ〜１０Ｄ：透過型液晶表示装置
表示部１１Ａ〜１１Ｄの画面サイズ：対角５０インチ（１１００ｍｍ×６２０ｍｍ）
非表示部１２Ａ〜１２Ｂの幅Ｗ２：４ｍｍ
透明板２０Ａ〜２０Ｄ：アクリル樹脂製
厚さＤ：１５ｍｍ
寸法Ｈ：７ｍｍ
第１偏向部２２Ａ〜２２Ｄ：幅Ｗ１＝１２ｍｍ、曲率半径１３ｍｍ
第２偏向部２３Ａ〜２３Ｄの幅（点Ｔ５〜点Ｔ６間の寸法）：５．６ｍｍ、曲率半径１５ｍｍ
【００４４】
上述のような配列型表示装置１００の実施例を作製し、実際に映像を表示してその画像の連続性等を、正面方向から目視して評価したところ、表示装置間の非表示部が目視されることがなく連続性の高い画像が観察された。また、平面部と第１偏向部との境界部分が、第１偏向部と第２偏向部との境界部分等おいても、二重像は観察されず、良好な映像が観察された。
以上のことから、本実施形態によれば、暗線等が視認されず、画像の連続性が高く、かつ、二重像等の表示不良等もない良好な映像を表示することができる。
【００４５】
（別の実施形態）
図９は、別の実施形態の配列型表示装置４００を説明する図である。図９では、別の実施形態の配列型表示装置４００の図３に示す断面に相当する断面を示している。
別の実施形態の配列型表示装置４００は、透明板２０Ａの第１偏向部４２Ａが、複数の斜面からなる折れ面状である点が異なる以外は、第１実施形態の配列型表示装置１００と同様の形状である。従って、前述した第１実施形態と同様の機能を果たす部分には、同一の符号又は末尾に同一の符号を付して、重複する説明を適宜省略する。
また、理解を容易にするために、この実施形態の配列型表示装置４００の表示装置１０Ａ及び透明板２０Ａのみを挙げて説明するが、図示しない他の表示装置１０Ｂ〜１０Ｄ及び透明板２０Ｂ〜２０Ｄについても同様の形態である。
【００４６】
図９に示すように、この実施形態の配列型表示装置４００では、透明板２０Ａに形成される第１偏向部４２Ａは、幅方向に配列された複数の斜面（平面）からなる折れ面状となっている。第１偏向部４２Ａの各斜面が、表示部１１Ａの表示面に平行な面となす角度γ３は、第１偏向部４２Ａの幅方向において、外周側に向かうにつれてしだいに大きくなっている。なお、画像の連続性や二重像の低減等の観点から、幅方向に配列される斜面の数は大きい方が好ましい。
この複数の斜面によって形成される第１偏向部４２Ａの形状は、観察者側に凸となる曲面に近似することが可能である。
従って、この実施形態のような折れ面状の第１偏向部４２Ａを備える透明板２０Ａ（透明板部２０）とする場合にも、前述の実施形態の第１偏向部２２Ａを備える透明板２０Ａ（透明板部２０）と同様に、画像の連続性が高い良好な映像を表示することができる。
なお、図示しないが、本実施形態において、第２偏向部に関しても、上述のような折れ面状としてもよい。
【００４７】
（変形形態）
以上説明した各実施形態に限定されることなく、種々の変形や変更が可能であって、それらも本発明の範囲内である。
図１０は、透明板２０Ａ〜２０Ｄの変形形態を示す図である。
図１１は、配列型表示装置１００の変形形態を説明する図である。
なお、図１０及び図１１や以下の説明において、理解を容易にするために、透明板２０Ａや表示装置１０Ａを例に挙げて示しているが、透明板２０Ｂ〜２０Ｄや表示装置１０Ｂ〜１０Ｄにおいても同様に適用可能である。
（１）各実施形態において、透明板２０Ａの側面２６Ａ部分は、表示部１１Ａ〜１１Ｄの表示面（観察者側の表面）の法線方向に平行な平面状である例を示したが、これに限らず、曲面状としてもよいし、複数の平面等を組み合わせて形成される形状としてもよい。また、側面２６Ａ部分には、反射層等を形成してもよい。なお、他の透明板２０Ｂ〜２０Ｄにおいても同様である。
例えば、図１０（ａ）に示すように、透明板２０Ａの側面２６Ａに、光を反射可能な反射層５０を形成してもよい。このような形状とすることにより、側面２６Ａに入射する光が反射され、少なくとも一部は第１偏向部２２Ａから出射する。従って、非表示部（継目部分）の視認性をさらに低減することができ、画像の連続性を向上させることができる。
また、図１０（ｂ）に示すように、側面２６Ａの少なくとも一部を、表示面の法線方向に対して角度をなす斜面２８Ａとしてもよいし、この斜面２８Ａ及び側面２６Ａに反射層５０を形成してもよい。
さらに、図１０（ｃ）に示すように、側面２６Ａを曲面状とし、さらに反射層５０を形成してもよい。
【００４８】
この反射層５０は、その側面２６Ａ側に凹凸形状を有する形態としてもよい。このような形状とした場合には、側面２６Ａに入射する光が拡散反射されるため、側面２６Ａで反射されて第１偏向部２２Ａから出射する光の量を増大させ、画像の連続性を向上させることができる。なお、凹凸形状は、反射層５０に面する側面２６Ａ及び斜面２８Ａに形成してもよい。
また、このとき、接合層３０を図１０（ｂ），（ｃ）に示すように形成して、透明板２０Ａと表示装置１０Ａとの接合度を高めてもよい。
【００４９】
（２）各実施形態において、透明板部２０は、複数の透明板２０Ａ〜２０Ｄが隣接して配列されて形成される例を示したが、これに限らず、１枚の板状の部材から形成してもよい。図１１（ａ）は、透明板部２０が１枚の板状の部材である場合の図１の矢印Ａ１−Ａ２での断面に相当する断面を示した図である。このような形状とすることにより、観察者には映像の表示される表示画面がより１つの画面として認識されやすくなり、より画像の連続性を高めることができる。
【００５０】
（３）各実施形態において、配列型表示装置１００は、表示装置１０Ａ〜１０Ｄ及び透明板２０Ａ〜２０Ｄが平面状に配列される例を示したが、これに限らず、例えば、図１１（ｂ）に示すように、表示画面が互いに角度をなすように各表示装置１０Ａ〜１０Ｃ及び透明板２０Ａ〜２０Ｃを配列してもよい。このような形状とすることにより、配列型表示装置の利便性や意匠性を高め、観察者Ｏに対して、用途や環境に適した画像表示を行うことができる。
【００５１】
（４）各実施形態において、表示装置１０Ａ〜１０Ｄの表示部１１Ａ〜１１Ｄの表示面が平面状である例を示したが、これに限らず、この表示面は、円筒面状や球面状等のように曲面状であってもよい。このような形態とする場合、透明板２０Ａ〜２０Ｄ（特に、平面部２１Ａ〜２１Ｄ，入光部２４Ａ〜２４Ｄ）は、表示面に追従した形状とすればよい。
【００５２】
（５）透明板２０Ａ〜２０Ｄは、適宜所望する光学性能等に応じて、内部に拡散剤を含有する形態としてもよいし、その表面にマット形状が形成されていてもよい。さらに、透明板２０Ａ〜２０Ｄの観察者側に、防眩層や、反射防止層、ハードコート層、防汚層、帯電防止層、紫外線吸収層、タッチパネル層等の各種機能を有する層を適宜設けてもよい。
【００５３】
（６）各実施形態において、配列型表示装置１００として複数の表示装置１０Ａ〜１０Ｄが配列され、それに対応した透明板２０Ａ〜２０Ｄが配列される例を示したが、これに限らず、例えば、通常の表示装置（例えば、１つの表示装置１０Ａを備えるもの）においても、透明板２０Ａを備えることにより、その枠部材等による非表示部の視認性を低減することができる。
【００５４】
なお、本実施形態及び変形形態は、適宜組み合わせて用いることもできるが、詳細な説明は省略する。また、本発明は以上説明した実施形態によって限定されることはない。
【符号の説明】
【００５５】
１００    配列型表示装置
１０    表示装置部
１０Ａ〜１０Ｄ    表示装置
１１Ａ    表示部
１２Ａ    非表示部
２０    透明板部
２０Ａ〜２０Ｄ    透明板
２２Ａ    第１偏向部
２３Ａ    第２偏向部
【要約】      （修正有）【課題】表示装置間の非表示領域の視認が大幅に低減され、画像の連続性が高く、良好な画像を表示可能な配列型表示装置を提供する。【解決手段】配列型表示装置１００は、表示部１１Ａの外周側に非表示部１２Ａを有する複数の表示装置１０Ａ〜１０Ｄと、観察者側に配置される透明板２０Ａ〜２０Ｄを備える。透明板２０Ａは、非表示部１２Ａに相当する位置に設けられ、表示部１１Ａから出射した光の少なくとも一部を、表示部１１Ａの正面方向へ出射する第１偏向部２２Ａと、観察者側の面の角部に設けられ、透明板２０Ａを透過してきた光の少なくとも一部を、正面方向へ出射する第２偏向部２３Ａとを備える。第１偏向部２２Ａの幅Ｗ１は、非表示部１２Ａの幅Ｗ２よりも大きく、観察者側に凸となる曲面を備え、曲面の接平面が前記表示面となす角度γ１が、外周側に向かうにつれて大きくなっている。【選択図】図３【図１】
0005382168.tif 000002
【図２】
0005382168.tif 000003
【図３】
0005382168.tif 000004
【図４】
0005382168.tif 000005
【図５】
0005382168.tif 000006
【図６】
0005382168.tif 000007
【図７】
0005382168.tif 000008
【図８】
0005382168.tif 000009
【図９】
0005382168.tif 000010
【図１０】
0005382168.tif 000011
【図１１】
0005382168.tif 000012
【図１２】
0005382168.tif 000013
【図１３】
0005382168.tif 000014